(57)【要約】【課題】例えば、テレビジョン受像機や冷蔵庫等の電気機器を一定期間使用した際にユーザーに電源プラグの掃除が必要なことを知らせ、トラッキング劣化による発熱・発火事故を防止するようにした発熱・発火事故防止報知機能付き電気機器を提案するものである。【解決手段】電源プラグ１を介して電源が供給される電気機器において、一定期間使用されたどうかを判断するための情報を取得する判断情報取得手段６と、この判断情報取得手段６よりの情報および一定期間使用されたかどうかの判断基準となる基準値を記憶する記憶手段７と、この記憶手段７に記憶されたこの判断情報取得手段６よりの情報とこの基準値とを比較し一定期間使用されたかどうかを判断する判断手段６と、この判断手段６により一定期間使用されたと判断したときに、使用者に電源プラグ１の掃除が必要であることを報知する報知手段１１と、この報知手段１１の報知を停止するとともにこの判断情報取得手段が取得する情報をリセットするリセット手段１２とを備えるようにしたものである。【選択図】　図１
2004053483.tif 000002
【特許請求の範囲】
【請求項１】
電源プラグを介して電源が供給される電気機器において、
一定期間使用されたどうかを判断するための情報を取得する判断情報取得手段と、
該判断情報取得手段よりの情報および一定期間使用されたかどうかの判断基準となる基準値を記憶する記憶手段と、
該記憶手段に記憶された前記判断情報取得手段よりの情報と前記基準値とを比較し一定期間使用されたかどうかを判断する判断手段と、
前記判断手段により一定期間使用されたと判断したときに、使用者に電源プラグの掃除が必要であることを報知する報知手段と、
前記報知手段の報知を停止するとともに前記判断情報取得手段が取得する情報をリセットするリセット手段と
を備えることを特徴とする電源プラグの発熱・　発火事故防止報知機能付き電気機器。
【請求項２】
請求項１に記載の発熱・発火事故防止報知機能付き電気機器において、
前記報知手段は、表示灯またはディスプレイ装置へのメッセージ表示または警報装置または音声発生装置のうち少なくとも一つを用いて報知するようにしたことを特徴とする電源プラグの発熱・　発火事故防止報知機能付き電気機器。
【請求項３】
請求項１に記載の発熱・発火事故防止報知機能付き電気機器において、
前記判断情報取得手段は、一定期間使用されたことを判断する情報としてその回数をカウントすることによって使用期間が推定されるトリガを利用してそのトリガ数をカウントし、
前記判断手段にて、前記トリガ数のカウント値と、電気機器に応じて設定する一定期間使用された場合に想定されるトリガ数の基準値とを比較し、前記トリガ数のカウント値が前記基準値以上である場合には、一定期間使用されたと判断するようにしたことを特徴とする電源プラグの発熱・発火事故防止報知機能付き電気機器。
【請求項４】
請求項１に記載の発熱・発火事故防止報知機能付き電気機器において、
前記判断情報取得手段は、一定期間使用されたことを判断する情報としてデジタル放送波を受信したときに含まれる日付情報を利用し、
前記判断手段にて、前記日付情報と予め設定した基準とする日付とを比較し、一定期間使用されたかどうかを判断するようにしたことを特徴とする電源プラグの発熱・発火事故防止報知機能付き電気機器。
【請求項５】
請求項３に記載の発熱・発火事故防止報知機能付き電気機器において、
前記トリガとして、電気機器の電源の入／切を利用するようにしたことを特徴とする電源プラグの発熱・発火事故防止報知機能付き電気機器。
【請求項６】
請求項３に記載の発熱・発火事故防止報知機能付き電気機器において、
前記トリガとして、電気機器に設置された扉の開閉を利用するようにしたことを特徴とする電源プラグの発熱・発火事故防止報知機能付き電気機器。
【請求項７】
請求項３に記載の発熱・　発火事故防止報知機能付き電気機器において、
前記トリガとして、電気機器が備える時計機能を利用し、該時計機能が所定時刻を示したときに前記トリガ数をカウントアップするようにしたことを特徴とする電源プラグの発熱・　発火事故防止報知機能付き電気機器。
【請求項８】
請求項１に記載の発熱・　発火事故防止報知機能付き電気機器において、
前記リセット手段として完了ボタンを設け、該完了ボタンが押されたことにより、前記電源プラグの掃除が完了したことを認識しリセットするようにしたことを特徴とする電源プラグの発熱・　発火事故防止報知機能付き電気機器。
【請求項９】
請求項１に記載の発熱・　発火事故防止報知機能付き電気機器において、
前記電源プラグの抜き差しをもって、前記電源プラグの掃除が完了したことを認識しリセットするようにしたことを特徴とする電源プラグの発熱・　発火事故防止報知機能付き電気機器。
【発明の詳細な説明】
【０００１】
【発明の属する技術分野】
本発明は、例えば、テレビジョン受像機や冷蔵庫等の電気機器を一定期間使用したことを使用者に知らせることにより、電源プラグのトラッキング劣化による発熱・発火事故を防止するようにした電源プラグの発熱・発火事故防止報知機能付き電気機器に関する。
【０００２】
【従来の技術】
例えば、テレビジョン受像機や冷蔵庫等の電気機器の電源プラグを長期間コンセントに繋ぎっぱなしにしていると、電源プラグに埃等が溜まり、溜まった埃等が湿気などによって電源プラグの電極間に微電流が流れ炭化するトラッキング劣化が生じ、電極間に導電路が形成され、発熱・発火事故を引き起こす（トラッキング現象）事例が報告されている。
【０００３】
電気機器メーカーは、定期的に電気機器の電源プラグの掃除が必要なことを取扱説明書などの添付書類で説明し注意を喚起しているが、実際の電源プラグの掃除の管理はユーザー任せであった。
【０００４】
【発明が解決しようとする課題】
しかしながら、ユーザーが取扱説明書を必ず読むとも限らず、また、電源プラグの掃除が必要なことを認識していたとしても不注意により忘れてしまう可能性があった。
【０００５】
斯かる点に鑑み、本発明は、電気機器を一定期間使用した際にユーザーに電源プラグの掃除が必要なことを知らせ、発熱・発火事故を防止するようにした発熱・発火事故防止報知機能付き電気機器を提案するものである。
【０００６】
【課題を解決するための手段】
本発明電源プラグの発熱・　発火事故防止報知機能付き電気機器は、電源プラグを介して電源が供給される電気機器において、一定期間使用されたどうかを判断するための情報を取得する判断情報取得手段と、この判断情報取得手段よりの情報および一定期間使用されたかどうかの判断基準となる基準値を記憶する記憶手段と、この記憶手段に記憶されたこの判断情報取得手段よりの情報とこの基準値とを比較し一定期間使用されたかどうかを判断する判断手段と、この判断手段により一定期間使用されたと判断したときに、使用者に電源プラグの掃除が必要であることを報知する報知手段と、この報知手段の報知を停止するとともにこの判断情報取得手段が取得する情報をリセットするリセット手段とを備えるようにしたものである。
【０００７】
斯かる本発明によれば、電気機器を一定期間使用すると、使用者に電源プラグの掃除が必要であることを知らせるようにしたので、使用者は現在電源プラグの掃除が必要な時期であることを認識することができる。
【０００８】
【発明の実施の形態】
以下、図１乃至図３を参照して、本発明電源プラグの発熱・発火事故防止報知機能付き電気機器の実施の形態の例について説明する。
【０００９】
図１例は、本発明をテレビジョン受像機に適用した例の構成図である。太線は各デバイスへの電源の供給を示す電源ライン、点線は各種の制御を行うＭＰＵ（Ｍｉｃｒｏ　Ｐｒｏｃｃｅｓ　Ｕｎｉｔ）６を中心としバスを通じて行われる制御信号の送受信を表す制御ライン、そして細線はＭＰＵ６と入出力機器との間で入出力信号をやり取りするポートである。また、遠隔操作用のリモート・コントローラ（以下、リモコンという）８を備えている。
【００１０】
図中、１は図示しないコンセントに接続された電源プラグを示し、例えばＡＣ１００Ｖ等の商用電源と接続するようにしており、テレビジョン受像機筐体の所定位置に備えられたメインスイッチ４を介して、所定電力を発生するようになされたスタンバイ電源発生回路５へと電源ラインを接続する。そして、スタンバイ電源発生回路５から、ＭＰＵ６、記憶手段としての不揮発性メモリの例えばフラッシュＲＯＭ７およびリモコン８より発信される赤外線信号を受光する赤外線受光部９にそれぞれ接続する。
【００１１】
さらに、ＡＣプラグ１からの電源ラインは、ＭＰＵ６によって制御される内部スイッチ２を介して、所定電力を発生するようになされたメイン電源発生回路３にも接続されるようにし、このメイン電源発生回路３より機器依存部分１０に電源ラインを接続し電源が供給されるようになされている。機器依存部分１０内の回路は、本例ではテレビジョン受像機に適用した回路となっているが、電気機器の種類や製品等によって異なり個々の電気機器毎の目的に応じた回路構成となっている。
【００１２】
また、ＭＰＵ６との入出力ポートとして、この例ではテレビ受像機に設けられる表示灯としての例えばＬＥＤ（Ｌｉｇｈｔ　Ｅｍｉｔｔｉｎｇ　Ｄｉｏｄｅ）１１および掃除が完了したときに使用する完了ボタン１２を接続する。
【００１３】
ＭＰＵ６での制御内容としては、テレビジョン受像機等の当該電気機器が一定期間使用されたかを判断するための情報を取得してフラッシュＲＯＭ７に記憶させたり、取得した情報と予め設定してフラッシュＲＯＭ７に記憶させておいた基準値とを比較し、当該電気機器が一定期間使用されたかどうかを判断するなどの処理を行う。また、一定期間使用されたと判断したときには、ＬＥＤ等の報知手段に対しＡＣプラグ１の掃除が必要であることを知らせるよう指示したりする。さらには、完了ボタン１２が押下されるなど掃除されたことを確認してＬＥＤ１１をオフしたり、上述の使用日数等、取得した判断情報をリセットするなどする。
【００１４】
リモコン８を備えたテレビジョン受像機は、通常リモコン８からの指令による電源の制御が行われ、メインスイッチ４がオンであればスタンバイ電源発生回路５が常に通電した状態にある。メインスイッチ４がオンするとスタンバイ電源発生回路５が通電状態となって、このスタンバイ電源発生回路５から、ＭＰＵ６、フラッシュＲＯＭ７、赤外線受光部９にそれぞれ電源が供給されると共に、ＭＰＵ６により内部スイッチ２がオンして、メイン電源発生回路３が通電し、機器依存部分１０に電源が供給されテレビジョン受像機が使用できる状態になる。
【００１５】
このとき、リモコン８から電源オフ命令が送信されると、赤外線受光部９がオフ信号を受信し、ＭＰＵ６へと送信する。ＭＰＵ６はオフ信号がきたことを認識し、内部スイッチ２をオフし、テレビジョン受像機はメイン電源発生回路３がオフしてスタンバイ電源発生回路５がオンしているスタンバイ状態になる。
【００１６】
上述スタンバイ状態のとき、リモコン８から電源オン命令が送られると、ＭＰＵ６は内部スイッチ２をオンし、メイン電源発生回路３を介して機器依存部分１０に電源が供給され、テレビジョン受像機が使用できる状態になる。
【００１７】
また、内部スイッチ２がオン状態で、テレビジョン受像機が使用できる状態のときに、メインスイッチ４がオフされると、内部スイッチ２もまたオフされる。
【００１８】
図２は電気機器の電源オン／オフ回数を用いた電源プラグの発熱・発火事故防止報知の流れを示すものである。上述の如く行われる電源オン／オフ制御において、スタンバイ電源発生回路５がオンのときにリモコン８の指令により内部スイッチ２がオンすると（ステップＳ１）、ＭＰＵ６はフラッシュＲＯＭ７に記憶されている電源のＯＮ回数をカウントアップ、即ちカウント値を１増やしてそのカウント値を記憶する（ステップＳ２）。その際、フラッシュＲＯＭ７の電源のオン回数を記憶しているカウンタが予め指定した値以上であるかどうかを判断する（ステップＳ３）。
【００１９】
カウンタが予め指定しておいた値以上ならば、電源プラグの発熱・発火事故防止の報知を行う報知手段としてのＬＥＤ１１を点灯あるいは点滅などさせてＡＣプラグ１の掃除時期であることを使用者に知らせる（ステップＳ４）。カウンタが指定した値以下ならばＬＥＤ１１はオフのままとする（ステップＳ５）。報知手段としてＬＥＤ１１の替わりに、例えばこのテレビジョン受像機に適用した例では、液晶ディスプレイ等の表示装置（図示せず）の表示面に「ＡＣプラグを掃除して下さい」等のメッセージを表示する如くしてもよい。このメッセージは、テレビジョン放送等映像を楽しんでいるようなときには、画面上方に表示するなど使用者に配慮するのが好ましい。
【００２０】
上述の指定した値は、例えば、電気機器の種類によりオン／オフされる使用頻度は変わると考えられるので、電気機器メーカーが、予め検討した標準頻度から、ＡＣプラグ１をコンセントから抜いて掃除してほしい期間、危険度のマージン等を加味し、何回オンしたらＡＣプラグの掃除時期にするかを変更することができる。さらには同じ電気機器を使用しても使用する人や環境によっても使用頻度が変わると考えられるので、これについても考慮するようにすればより正確な掃除時期の設定が期待できる。
【００２１】
その他、電気機器の初期化に必要な動作が終了したら電源オン時の初期化処理終了となる（ステップＳ６）。
【００２２】
上述の場合、テレビジョン受像機を使用して電源をオンするだけで、使用者がＡＣプラグの掃除時期を忘れていても、機器内部のカウンタが動作して一定期間が経過したら使用者にＡＣプラグを掃除するよう要求するので、これにより使用者がＡＣプラグ掃除すればトラッキング劣化による電源プラグの発熱・発火事故を防止することができる。
また、取扱説明書を読まない使用者に対しても、定期的な電源プラグの掃除が必要なことを認識させることができる。
さらに、電気機器の種類や使用環境等を考慮したカウント値を指定することにより、使用者により正確な電源プラグの掃除時期を知らせることができる。
【００２３】
図３は、例えば電気機器筐体（図示せず）に設けた完了ボタン１２によるＬＥＤ１１の表示停止および電源オン回数を示すカウンタのリセットを示すフローチャートである。
ＭＰＵ６よりＡＣプラグ１の掃除要求がなされＬＥＤ１１がオン状態となっている場合（ステップＳ１１）、使用者が掃除完了時に完了ボタン１２を押すと（ステップＳ１２）、ＬＥＤ１１が消灯すると共にフラッシュＲＯＭ７上の電源オン回数を示すカウンタがリセットされる（ステップＳ１３）。このとき完了ボタン１２が押されるまでＬＥＤ１１は表示されたままとなり使用者にＡＣプラグ１の掃除を要求し続ける。尚、上述のステップ１１において、ＬＥＤ１１がオンしていない場合は、そのまま何もしない（ステップＳ１４）。
【００２４】
誤操作によるカウンタのリセットを防ぐため、ＬＥＤ１１がオンしていないときに完了ボタン１１を押してもカウンタはリセットされない。
【００２５】
あるいは、例えば表示装置の表示面にタッチパネルを積層し、この表示面上に掃除をするようメッセージを表示すると同時に、表示面の片隅に完了ボタンを表示してタッチパネルを介してこの完了ボタンを押してリセットする如くしてもよい。このようにした場合、掃除要求が出ていないのに完了ボタンを押してしまうといった誤操作が削減できる。
【００２６】
また、図１に示されるメインスイッチ４のような電源スイッチはないが、使用者が当該電気機器に対し、何等かのトリガを与えられる機器においては、そのトリガを基に使用日数を概算することができる。
【００２７】
メインスイッチがない電気機器の場合、例えば冷蔵庫のようにドアの開け閉め回数をトリガとしてその回数をカウントすることにより概略の使用日数を算出することができる。このような概略の使用日数を算出できる情報が得られたら、図１例の電源のオン回数を用いた場合と同様に、そのカウント値と予め指定した値とを比較し、カウント値が指定した値以上であれば、ＬＥＤを点灯または点滅等させて使用者にＡＣプラグを掃除するよう要求する。また同様に、指定する値は電気機器の種類等諸条件を考慮して変更するようにする。
【００２８】
もちろん、この扉の開閉を利用する方法は、図１例のようにメインスイッチを備える電気機器に対しても適用可能である。この扉の開閉回数を利用する方法としては、その他洗濯機、電子レンジや電気炊飯器など種々のものに適用することができる。またこのような場合には、表示灯の替わりに扉を開けたときにブザー音のようなものを鳴らしたり、あるいは音声により掃除日の案内をするようにしてもよい。
【００２９】
上述のように、メインスイッチを持たず電源プラグをコンセントに差しっ放しにしておくような電気機器においても、扉の開閉をトリガとして利用しカウントすることにより、使用者に電源プラグの掃除の時期を知らせることができる。その他、図１例と同様の効果が得られることは容易に理解できよう。
【００３０】
また、近年マイコン（マイクロコンピュータ）またはワンチップ・マイコン等を搭載する電気機器には時計機能を備えるものが多く、この時計機能を持った電気機器の場合、以下に述べる方法によって、より正確にＡＣプラグが接続されている日数を知ることができる。この時計機能を利用するにあたっては、電気機器の電源制御部分、即ち図１でいえば機器依存部分１０を除いた部分の回路構成は問わない。
【００３１】
例えば、２４時制の時計の場合、２３：５９から日付が変わり翌日０：００になったときにカウントアップし、１２時間の繰り返しを行う時計の場合、１１：５９から１２：００を２回繰り返したときにカウントアップするようにすることにより、そのカウント値から当該電気機器がオンされている、即ちＡＣプラグ１がコンセントに接続されている正確な日数を知ることができる。そして、上述と同様、予め指定しておいた値と比較し、上述カウント値が指定した値以上のときはＬＥＤ１１をオンし、指定した値に達しなければＬＥＤ１１はオフのままとする。
【００３２】
但し、時計機能を用いた場合の例外処理として、以下に述べるような項目が挙げられる。
第１に、使用者が時計合わせモードのときに２３：５９から００：００に手動でカウントアップの状態とした場合にはカウントアップしない。
第２に、停電などにより時計がリセットされた場合はカウントアップできない。
第３に、当該電気機器がＡＣ接続されていない（蓄電池等と併用している）場合はカウントアップしない等。
第２項目の停電の場合などのように、カウントアップがされないと当初予定されるはずの掃除日と若干の誤差が生じるが、ＡＣプラグ１にたまった埃等を掃除するよう指示するという目的からすれば、多少の日数の誤差は全く問題ない。
【００３３】
上述の場合、電気機器が持つ時計機能を利用して、使用者に、より正確に電源プラグの掃除が必要な時期を知らせることができる。
【００３４】
次に、図４を参照して、本発明電源プラグの発熱・発火事故防止報知機能付き電気機器の実施の形態の他の例について説明する。本例は、上述した電源オン／オフ回数や時計機能を利用する変わりに、ディジタル放送電波に付加される日付情報を用いて、ＡＣプラグの掃除をするよう要求するかどうか判断するものである。
【００３５】
この図４は、ＢＳディジタル放送やＣＳディジタル放送等のディジタル放送電波に付加される日付情報を用いた電源プラグの発熱・発火事故防止報知の流れを示すものである。ＢＳディジタル機器やＣＳディジタル機器などにおいては、放送電波に日付情報が付加されている場合、該日付情報を利用してメーカーの推奨した掃除時期を使用者に正確に知らせることができる。
【００３６】
例えばＢＳディジタル放送電波には、映像情報以外にも様々な付加情報がのっているが、その中のＴＯＴ（Ｔｉｍｅ　Ｏｆｆｓｅｔ　Ｔａｂｌｅ）　に日付情報が含まれている。まず、その日付情報を取得する。具体的には、ＢＳディジタルチューナ搭載の電気機器（図示せず）にアンテナを接続し、電源を入れてＢＳディジタル放送電波が受信されているか確認する（ステップＳ２１）。
【００３７】
ＢＳディジタル放送電波を受信できたら、次に、この時点でのフラッシュＲＯＭ７に記憶されているＡＣプラグを掃除してほしい掃除日付がゼロであるかどうかを確認する（ステップＳ２２）。電気機器には、フラッシュＲＯＭ７に記憶するＡＣプラグ１を次に掃除する日付を管理できるように、該当電気機器の生産工場からの出荷時に掃除日付ゼロを入力しておく。それにより、使用者が初めて電気機器の電源を入れたとき、その日を元にＡＣプラグ１を掃除してほしい日付、例えば１年後の日付を自動的にフラッシュＲＯＭ７に書き込む（ステップＳ２３）ように設定しておく。
勿論この掃除してほしい時期の設定は、１年後に限られるものではない。
【００３８】
上述のステップＳ２２にて、フラッシュＲＯＭ７に記憶された掃除日付がゼロでなかった場合には何もせずに、次のステップＳ２４へと進む。
【００３９】
そして、使用者が当該電気機器を使い続け、現在の日付が、上述の当時１年後として指定した日付を過ぎているかどうかを確認する（ステップＳ２４）。過ぎている場合には、ＡＣプラグ１を掃除するよう、ＢＳディジタルチューナ搭載電気機器が備えるまたはこれと接続された液晶ディスプレイ等の表示装置（図示せず）の画面上に、「ＡＣプラグを掃除して下さい」等のメッセージを表示する（ステップＳ２５）。
【００４０】
現在の日付が、指定された日付を過ぎていない場合には、表示装置には何も表示せず（ステップＳ２６）、そのまま電気機器を使用するとともに監視を続ける。尚、現在の日付と設定された日付の比較処理は毎日行われることが好ましいが、ＡＣプラグにたまった埃等の掃除を指示するということからすれば、この比較処理は数日おきに行われるように設定してもよい。
【００４１】
ディジタル放送電波を受信せずとも機器内部に日付表示機能を備える電気機器についても、上述と同様の方法でＡＣプラグの掃除時期を使用者に知らせることができる。
【００４２】
このように、ディジタル放送電波に含まれる日付情報を利用した場合、使用者に電源プラグの掃除時期を正確に知らせることができる。その他、図１例と同様の効果が得られることは容易に理解できよう。
【００４３】
次に、図５、図６を参照して、本発明電源プラグの発熱・発火事故防止報知機能付き電気機器の実施の形態の他の例について説明する。
【００４４】
図５は、メインスイッチを持たない、例えば冷蔵庫等の電気機器の例を示す構成図である。この図５において、図１に対応する部分については同一符号を付して示す。太線は各デバイスへの電源の供給を示す電源ライン、点線は各種の制御を行うＭＰＵ（Ｍｉｃｒｏ　Ｐｒｏｃｃｅｓ　Ｕｎｉｔ）２６を中心としバスを通じて行われる制御信号の送受信を表す制御ライン、そして細線はＭＰＵ２６と入出力機器との間で入出力信号をやり取りするポートである。
【００４５】
図中、ＡＣプラグ１は図示しないコンセントに挿されて、ＡＣ１００Ｖ等の商用電源と接続され、ＡＣプラグ１からの電源ラインがメイン電源発生回路２３を介して機器依存部分３０と接続し電源が供給される。機器依存部分３０の回路は、電気機器の種類により異なり個々の電気機器毎の目的に応じた構成となっている。また、メイン電源発生回路２３とＭＰＵ２６とを接続するとともに記憶手段としての不揮発性メモリの例えばフラッシュＲＯＭ２７に接続される。また、ＭＰＵ２６との入出力ポートとして例えばＬＥＤ１１が接続されている。このような構成においては、ＡＣプラグ１をコンセントに差し込むと、機器依存部分３０に対しダイレクトに電源が供給されるとともに、ＭＰＵ２６およびフラッシュＲＯＭ２７にもまた電源が供給される。
【００４６】
図５に示すような、メインスイッチのない電気機器、即ちＡＣプラグをコンセントに接続すると機器依存部分３０にダイレクトに電源が供給されるような場合、電源が切れるのはＡＣプラグを抜き差しした場合だけである。したがって、「コンセント抜き差し」をもって図３例の「完了ボタン押下」処理を代用する。
【００４７】
図５に、完了ボタンがない電気機器のＬＥＤ１１の表示停止、およびカウンタをリセットするフローチャートを示す。
電気機器を長期間使用し続けている状態において、まず、フラッシュＲＯＭ２７のカウンタが指定した値以上かどうかを判断する（ステップＳ３１）。指定した値を超えると電源プラグの掃除が必要であることを示すＬＥＤ１１が点灯する（ステップＳ３２）。使用者はＬＥＤ１１が点灯しているのを認識し、コンセントよりＡＣプラグ１を抜いて掃除をした後、再びＡＣプラグ１をコンセントに挿す（ステップ３３）
【００４８】
そして、電気機器に電源が供給されたならば、フラッシュＲＯＭ２７のカウンタを確認し、当然カウント値が設定値を超えているので、以前に掃除のお知らせ状態からＡＣプラグ１が抜かれたものとＭＰＵ２６が判断して、ＬＥＤ１１の表示停止およびカウンタリセットする（ステップＳ３４）。
上述ステップＳ３１において、カウンタが指定した値以上でない場合は、何も行われない。
【００４９】
このように、メインスイッチがなく、ＡＣプラグ１を抜き差ししたときだけ電源が切れるような電気機器においても、ＡＣプラグ１を抜き差しすることにより、図１や図３で述べた完了ボタンを代用して、表示灯の表示停止およびカウンタをリセットすることができる。
【００５０】
尚、本発明は上述した実施の形態の例に限られるものではなく、本発明の要旨を逸脱することなくその他種々の構成を取り得ることは勿論である。
【００５１】
【発明の効果】
斯かる本発明によれば、電気機器を一定期間使用すると、使用者に電源プラグの掃除が必要であることを知らせるようにしたので、使用者は現在電源プラグの掃除が必要な時期であることを認識することができる効果を奏する。
【図面の簡単な説明】
【図１】本発明電源プラグの発熱・発火事故防止報知機能付き電気機器の実施の形態の例を示す構成図である。
【図２】本発明の説明に供する線図である。
【図３】本発明の説明に供する線図である。
【図４】本発明の説明に供する線図である。
【図５】本発明電源プラグの発熱・発火事故防止報知機能付き電気機器の実施の形態の他の例を示す構成図である。
【図６】本発明の説明に供する線図である。
【符号の説明】
１・・・・ＡＣプラグ、２・・・・内部スイッチ、６・・・・ＭＰＵ、７・・・・フラッシュＲＯＭ、１１・・・・ＬＥＤ、１２・・・・完了ボタン
【図１】
2004053483.tif 000003
【図２】
2004053483.tif 000004
【図３】
2004053483.tif 000005
【図４】
2004053483.tif 000006
【図５】
2004053483.tif 000007
【図６】
2004053483.tif 000008